(57)【要約】【課題】静止画撮影と動画撮影の双方を実施可能な医療施設における誤撮影を防止する。【解決手段】放射線撮影システム１００によれば、撮影用コンソール５、ブッキー装置１、２、放射線源３、操作卓６０、曝射スイッチ６２ａにおいて、色、画面デザイン、音、振動のうち少なくとも一つにより、実施すべき撮影が静止画撮影であるか動画撮影であるかの撮影種別を直感的に識別可能な態様で報知する。【選択図】図６
2019147036.tif 000002
【特許請求の範囲】
【請求項１】
静止画撮影及び動画撮影に対応する放射線源を備え、前記放射線源により被写体に静止画撮影又は動画撮影を行って画像データを取得する放射線撮影システムであって、
検査に含まれる複数の撮影から１つの撮影を選択するための撮影選択ボタンを有し、
色、画面デザインのうち少なくとも一つにより、前記撮影選択ボタンに対応する撮影が静止画撮影であるか動画撮影であるかを報知する報知手段を備える放射線撮影システム。
【請求項２】
静止画撮影及び動画撮影に対応する放射線源を備え、前記放射線源により被写体に静止画撮影又は動画撮影を行って画像データを取得する放射線撮影システムであって、
検査で実施すべき撮影に関する情報を含む検査オーダー情報の一覧が表示された検査リスト画面において動画撮影が含まれている検査オーダー情報を静止画撮影のみの検査オーダー情報とは異なる色で色分けして表示する報知手段を備える放射線撮影システム。
【請求項３】
検査開始を指示するための指示手段を備え、
前記報知手段は、前記指示手段により開始が指示された検査に動画撮影が含まれている場合に、所定の音を出力する請求項１又は２に記載の放射線撮影システム。
【請求項４】
前記報知手段は、検査中にその検査で実施すべき各撮影に関する情報を表示する検査画面に表示される各撮影に関する情報を、各撮影が静止画撮影であるか動画撮影であるかに応じた色で表示するか、又は、各撮影に関する情報に、各撮影が静止画撮影であるか動画撮影であるかに応じたアイコンを対応付けて表示する請求項１〜３の何れか一項に記載の放射線撮影システム。
【請求項５】
前記報知手段は、撮影室内に設けられた表示装置に、次に実施すべき撮影が静止画撮影であるか動画撮影であるかに応じた色又は画面デザインを表示する請求項１〜４の何れか一項に記載の放射線撮影システム。
【請求項６】
静止画撮影及び動画撮影に対応する放射線源を備え、前記放射線源により被写体に静止画撮影又は動画撮影を行って画像データを取得する放射線撮影システムであって、
前記放射線源に放射線照射を指示するための曝射スイッチを次に実施すべき撮影が静止画撮影であるか動画撮影であるかに応じた色で表示する報知手段を備える放射線撮影システム。
【請求項７】
静止画撮影及び動画撮影に対応する放射線源を備え、前記放射線源により被写体に静止画撮影又は動画撮影を行って画像データを取得する放射線撮影システムであって、
前記放射線源に放射線照射を指示するための曝射スイッチが押下された場合に、この曝射スイッチの押下によって実施すべき撮影が静止画撮影であるか動画撮影であるかに応じた音及び／又は振動を出力する報知手段を備える放射線撮影システム。
【請求項８】
前記報知手段は、前記放射線源に放射線照射を指示するための曝射スイッチが押下された場合に、この曝射スイッチの押下に応じて実施すべき撮影が静止画撮影であるか動画撮影であるかに応じて前記放射線源に放射線照射を指示するまでの遅延時間を変更する請求項７に記載の放射線撮影システム。
【請求項９】
検査で実施すべき撮影が静止画撮影であるか動画撮影であるかを選択するための選択手段を備える請求項１〜８の何れか一項に記載の放射線撮影システム。
【発明の詳細な説明】
【技術分野】
【０００１】
本発明は、放射線撮影システムに関する。
【背景技術】
【０００２】
従来、放射線による被写体の静止画撮影と動画撮影の双方を実施可能な医療施設における誤撮影を防止するための各種技術が提案されている。
例えば、特許文献１には、ブッキー装置から送信される可搬型ＦＰＤのＩＤ情報に基づいて、ブッキー装置に装着されているＦＰＤが動画撮影対応であるか否かのＦＰＤ種別を判断し、ＦＰＤ種別と撮影オーダー情報の関係から撮影可否を判断し表示することが記載されている。
【先行技術文献】
【特許文献】
【０００３】
【特許文献１】特開２０１２−１１０４５１号公報
【発明の概要】
【発明が解決しようとする課題】
【０００４】
ところで、静止画撮影と動画撮影の双方を実施可能な医療施設においては、これから実施すべき撮影が静止画撮影であるか動画撮影であるかの撮影種別を撮影者が認識しておく必要がある。従来、撮影者は、コンソールや操作卓等の画面に記載されている文字情報を手掛かりに撮影種別を確認している。しかし、撮影者は、撮影直前は患者を注視しており、いちいち文字を読み取って確認するのは容易ではない。仮に、撮影種別を誤認して撮影を行った場合、再撮影となり、患者に無駄な被曝をさせてしまうこととなる。
【０００５】
本発明の課題は、静止画撮影と動画撮影の双方を実施可能な医療施設における誤撮影を防止することである。
【課題を解決するための手段】
【０００６】
上記課題を解決するため、請求項１に記載の発明は、
静止画撮影及び動画撮影に対応する放射線源を備え、前記放射線源により被写体に静止画撮影又は動画撮影を行って画像データを取得する放射線撮影システムであって、
検査に含まれる複数の撮影から１つの撮影を選択するための撮影選択ボタンを有し、
色、画面デザインのうち少なくとも一つにより、前記撮影選択ボタンに対応する撮影が静止画撮影であるか動画撮影であるかを報知する報知手段を備える。
【０００７】
請求項２に記載の発明は、
静止画撮影及び動画撮影に対応する放射線源を備え、前記放射線源により被写体に静止画撮影又は動画撮影を行って画像データを取得する放射線撮影システムであって、
検査で実施すべき撮影に関する情報を含む検査オーダー情報の一覧が表示された検査リスト画面において動画撮影が含まれている検査オーダー情報を静止画撮影のみの検査オーダー情報とは異なる色で色分けして表示する報知手段を備える。
【０００８】
請求項３に記載の発明は、請求項１又は２に記載の発明において、
検査開始を指示するための指示手段を備え、
前記報知手段は、前記指示手段により開始が指示された検査に動画撮影が含まれている場合に、所定の音を出力する。
【０００９】
請求項４に記載の発明は、請求項１〜３のいずれか一項に記載の発明において、
前記報知手段は、検査中にその検査で実施すべき各撮影に関する情報を表示する検査画面に表示される各撮影に関する情報を、各撮影が静止画撮影であるか動画撮影であるかに応じた色で表示するか、又は、各撮影に関する情報に、各撮影が静止画撮影であるか動画撮影であるかに応じたアイコンを対応付けて表示する。
【００１０】
請求項５に記載の発明は、請求項１〜４のいずれか一項に記載の発明において、
前記報知手段は、撮影室内に設けられた表示装置に、次に実施すべき撮影が静止画撮影であるか動画撮影であるかに応じた色又は画面デザインを表示する。
【００１１】
請求項６に記載の発明は、
静止画撮影及び動画撮影に対応する放射線源を備え、前記放射線源により被写体に静止画撮影又は動画撮影を行って画像データを取得する放射線撮影システムであって、
前記放射線源に放射線照射を指示するための曝射スイッチを次に実施すべき撮影が静止画撮影であるか動画撮影であるかに応じた色で表示する報知手段を備える。
【００１２】
請求項７に記載の発明は、
静止画撮影及び動画撮影に対応する放射線源を備え、前記放射線源により被写体に静止画撮影又は動画撮影を行って画像データを取得する放射線撮影システムであって、
前記放射線源に放射線照射を指示するための曝射スイッチが押下された場合に、この曝射スイッチの押下によって実施すべき撮影が静止画撮影であるか動画撮影であるかに応じた音及び／又は振動を出力する報知手段を備える。
【００１３】
請求項８に記載の発明は、請求項７に記載の発明において、
前記報知手段は、前記放射線源に放射線照射を指示するための曝射スイッチが押下された場合に、この曝射スイッチの押下に応じて実施すべき撮影が静止画撮影であるか動画撮影であるかに応じて前記放射線源に放射線照射を指示するまでの遅延時間を変更する。
【００１４】
請求項９に記載の発明は、請求項１〜８のいずれか一項に記載の発明において、
検査で実施すべき撮影が静止画撮影であるか動画撮影であるかを選択するための選択手段を備える。
【発明の効果】
【００１５】
本発明によれば、静止画撮影と動画撮影の双方を実施可能な医療施設における誤撮影を防止することが可能となる。
【図面の簡単な説明】
【００１６】
【図１】第１の実施形態に係る放射線撮影システムの全体構成を示す図である。
【図２】放射線源の詳細を示す斜視図である。
【図３】撮影用コンソールの要部構成例を示す図である。
【図４】曝射スイッチの押下と放射線照射の関係を示す図である。
【図５Ａ】第１の実施形態において放射線撮影システムにより実行される検査実施処理Ａの流れを示す図である。
【図５Ｂ】第１の実施形態において放射線撮影システムにより実行される検査実施処理Ａの流れを示す図である。
【図５Ｃ】第１の実施形態において放射線撮影システムにより実行される検査実施処理Ａの流れを示す図である。
【図６】検査リスト画面の一例を示す図である。
【図７】検査画面の一例を示す図である。
【図８】第２の実施形態に係る放射線撮影システムの全体構成を示す図である。
【図９Ａ】第２の実施形態において放射線撮影システムにより実行される検査実施処理Ｂの流れを示す図である。
【図９Ｂ】第２の実施形態において放射線撮影システムにより実行される検査実施処理Ｂの流れを示す図である。
【図９Ｃ】第２の実施形態において放射線撮影システムにより実行される検査実施処理Ｂの流れを示す図である。
【図１０】撮影種別選択画面の一例を示す図である。
【発明を実施するための形態】
【００１７】
以下、本発明に係る放射線撮影システムの実施の形態について、図面を参照して説明する。ただし、本発明は以下の図示例のものに限定されるものではない。
【００１８】
＜第１の実施形態＞
（放射線撮影システムの構成）
まず、本実施の形態における放射線撮影システム１００の構成について説明する。
図１は、本発明の実施の形態に係る放射線撮影システム１００の全体構成例を示す図である。図１では、放射線撮影システム１００が撮影室Ｒｍ内に構築されている場合が示されている。
放射線撮影システム１００は、人体の診断対象部位を被写体として放射線を照射し、静止画撮影又は動画撮影を行うシステムである。本実施形態において、静止画撮影とは、１回の撮影操作（曝射スイッチ６２ａの押下）に応じて一枚の被写体の画像を取得することをいう。動画撮影とは、静止画撮影と対になる撮影であり、１回の撮影操作に応じて複数枚の被写体の画像を連続的に取得して動画像を得ることをいい、撮影により得られた画像の表示のリアルタイム性や撮影時間は制約されない。動画撮影には、動態撮影やトモシンセシス撮影も含まれる。
【００１９】
撮影室Ｒｍには、例えば、立位撮影用のブッキー装置１と、臥位撮影用のブッキー装置２と、放射線源３と、撮影用コンソール５と、操作卓６と、が備えられている。撮影室Ｒｍには前室Ｒａと撮影実施室Ｒｂが設けられ、前室Ｒａに撮影用コンソール５及び操作卓６が備えられることで、撮影技師等の撮影者の被曝を防止するようになっている。
【００２０】
以下、撮影室Ｒｍ内の各装置について説明する。
ブッキー装置１は、立位での撮影時にＦＰＤ（Flat Panel Detector）９を保持して撮影を行うための装置である。ブッキー装置１は、ＦＰＤ９を保持するための保持部１２ａと、保持部１２ａに装着されたＦＰＤ９のコネクターを接続するためのコネクター１２ｂとを有する。コネクター１２ｂは、保持部１２ａに装着されたＦＰＤ９との間でデータ送受信を行ったり、ＦＰＤ９に電力を供給したりする。また、ブッキー装置１は、撮影用コンソール５等の外部機器と通信ケーブルを介してデータ送受信を行うためのインターフェースや、保持部１２ａを垂直方向又は水平方向に移動させるためのフットスイッチ等を備える。更に、ブッキー装置１には、次に実施する撮影に関する情報（被写体となる患者の患者情報、撮影部位等）を表示するための表示部１３が備えられている。
【００２１】
ブッキー装置２は、臥位での撮影時にＦＰＤ９を保持して撮影を行うための装置である。ブッキー装置２は、ＦＰＤ９を保持するための保持部２２ａと、保持部２２ａに装着されたＦＰＤ９のコネクターを接続するためのコネクター２２ｂとを有する。コネクター２２ｂは、保持部２２ａに装着されたＦＰＤ９との間でデータ送受信を行ったり、ＦＰＤ９に電力を供給したりする。また、ブッキー装置２は、撮影用コンソール５等の外部機器と通信ケーブルを介してデータ送受信を行うためのインターフェースや、被写体を載置するための被写体台２６を備える。更に、ブッキー装置２には、次に実施する撮影に関する情報（被写体となる患者の患者情報、撮影部位等）を表示するための表示部２３が備えられている。
【００２２】
放射線源３は、例えば、撮影室Ｒｍの天井から吊り下げられており、撮影時には撮影用コンソール５からの指示に基づいて、図示しない駆動機構によりにより所定の位置、向きに調整されるようになっている。そして、放射線の照射方向を変えることで、立位用のブッキー装置１又は臥位用のブッキー装置２に装着されたＦＰＤ９に対して放射線（Ｘ線）を照射することができるようになっている。また、放射線源３は、操作卓６からの放射線照射指示に従って放射線を照射し、静止画撮影又は動画撮影を行う。
本実施形態において、放射線源３には、図２に示すように、次に実施する撮影に関する情報（被写体となる患者の患者情報、撮影部位、撮影方向等）を表示するための表示部３１が備えられている。ここで、図２は、放射線源３の詳細を示す斜視図である。
【００２３】
撮影用コンソール５は、放射線撮影システム１００を構成する各部（装置）を制御することにより撮影を制御する装置である。撮影用コンソール５は、ＬＡＮ（Local Area Network）等の通信ネットワークＮを介してＨＩＳ／ＲＩＳ（Hospital Information System/Radiology Information System）７、サーバー装置１０等に接続されており、ＨＩＳ／ＲＩＳ７から送信された検査オーダー情報に基づいて、放射線撮影システム１００を構成する各部を制御して撮影を行わせる。
【００２４】
図３に、撮影用コンソール５の要部構成例を示す。図３に示すように、撮影用コンソール５は、制御部５１、記憶部５２、操作部５３、表示部５４、通信Ｉ／Ｆ５５、ネットワーク通信部５６、音出力部５７、振動発生部５８等を備えて構成されており、各部はバス５９により接続されている。
【００２５】
制御部５１は、ＣＰＵ、ＲＡＭ等により構成される。制御部５１のＣＰＵは、記憶部５２に記憶されているシステムプログラムや処理プログラム等の各種プログラムを読み出してＲＡＭに展開し、展開されたプログラムに従って各種処理を実行する。
例えば、制御部５１は、所定時間毎にネットワーク通信部５６を介してＨＩＳ／ＲＩＳ７に問い合わせを行い、新たにＨＩＳ／ＲＩＳ７で登録された検査オーダー情報を取得する。
また、例えば、制御部５１は、図５Ａ〜図５Ｃに示す検査実施処理Ａの撮影用コンソール５側の処理を実行することにより放射線撮影システム１００を構成する各部を制御して撮影種別の報知や撮影を行わせる。
【００２６】
記憶部５２は、例えばＨＤＤ（Hard Disk Drive）や半導体の不揮発性メモリー等で構成されている。
記憶部５２には、各種のプログラム及びデータが記憶されている。例えば、記憶部５２には、図５Ａ〜図５Ｃに示す検査実施処理Ａの撮影用コンソール５側の処理を実行するためのプログラム等が記憶されている。
【００２７】
また、記憶部５２には、撮影の種別と撮影部位の組み合わせに対応付けて撮影条件（放射線照射条件及び画像読取条件）が記憶されている。放射線照射条件は、例えば、Ｘ線管電流の値、Ｘ線管電圧の値、フィルタ種、ＳＩＤ（Source to Image−receptor Distance）、動画撮影時のパルスレート、パルス幅、パルス間隔等である。画像読取条件は、例えば、画素サイズ、画像サイズ（マトリックスサイズ）、動画撮影時のフレームレート、フレーム間隔等である。フレームレートは、パルスレートと一致している。
【００２８】
また、記憶部５２には、所定時間毎にＨＩＳ／ＲＩＳ７から送信される検査オーダー情報が記憶される。検査オーダー情報には、例えば、検査識別情報（検査ＩＤ等）、検査日付、被写体となる患者の氏名等の患者情報、検査で行われる各撮影に関する情報（撮影ＩＤ、撮影部位、撮影方向、体位（立位、臥位）、静止画撮影又は動画撮影の種別等）が含まれる。
【００２９】
操作部５３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。
【００３０】
表示部５４は、例えば、ＣＲＴ（Cathode Ray Tube）やＬＣＤ（Liquid Crystal Display）等のモニターを備えて構成されており、制御部５１から入力される表示信号の指示に従って、各種画面を表示する。
なお、表示部５４の画面上に、透明電極を格子状に配置した感圧式（抵抗膜圧式）のタッチパネル（図示せず）を形成し、表示部５４と操作部５３とが一体に構成されるタッチスクリーンとしてもよい。この場合、タッチパネルは、手指やタッチペン等で押下された力点のＸＹ座標を電圧値で検出し、検出された位置信号が操作信号として制御部５１に出力されるように構成される。なお、表示部５４は、一般的なＰＣ（Personal Computer）に用いられるモニターよりも高精細のものであってもよい。
【００３１】
通信Ｉ／Ｆ５５は、ブッキー装置１、ブッキー装置２、操作卓６のそれぞれと接続し、データ送受信を行うためのインターフェースである。
【００３２】
ネットワーク通信部５６は、ネットワークインターフェース等により構成され、スイッチングハブを介して通信ネットワークＮに接続された外部機器との間でデータの送受信を行う。
【００３３】
音出力部５７は、スピーカ等を備え、制御部５１からの制御に応じて音（音声）を出力する。
振動発生部５８は、制御部５１からの制御に応じて振動を発生させて出力する。
【００３４】
操作卓６は、制御部６１、曝射スイッチ６２ａを含む操作部６２、表示部６３、通信Ｉ／Ｆ（図示せず）等を備え、放射線源３の放射線照射を制御するための端末である。操作卓６は、例えば、撮影用コンソール５からの位置調整指示信号を放射線源３に送信したり、撮影用コンソール５から送信された放射線照射条件を表示部６３に表示したり、放射線技師等の撮影者の操作により被写体の体厚等に応じて放射線照射条件を調整したり、曝射スイッチ６２ａの押下に応じて放射線源３に起動指示信号や放射線照射指示信号を送信したりする。
【００３５】
ここで、曝射スイッチ６２ａは、図４に示すように、２段階スイッチであり、第１段スイッチが押下（Ｐｒｅｐ  ＯＮ）されると、放射線源３に対する起動指示信号が入力され、第２段スイッチが押下（Ｅｘｐ  ＯＮ）されると、遅延時間Ｔｄが経過した後、放射線源３に対する放射線照射指示信号が入力（Ｘｒａｙ  ＯＮ）される。また、曝射スイッチ６２ａには、ＬＥＤ（発光ダイオード）等が搭載されており、表示色を変化させることができるようになっている。また、曝射スイッチ６２ａには、図示しない音出力部及び振動発生部が搭載されており、第１段スイッチ、第２段スイッチの押下に応じて音や振動が出力されるようになっている。詳細は後述する。
【００３６】
ＨＩＳ／ＲＩＳ７は、オペレータによる登録操作に応じて検査オーダー情報を生成する。検査オーダー情報は、例えば被写体となる患者の氏名、性別、年齢、身長、体重等の患者情報や、検査で行われる各撮影に関する情報（撮影ＩＤ、撮影部位、撮影方向、体位（立位、臥位）、静止画撮影又は動画撮影の種別撮影方法等）等を含んでいる。なお、検査オーダー情報はここに例示したものに限定されず、これ以外の情報を含んでいてもよいし、上記に例示した情報のうちの一部でもよい。
【００３７】
診断用コンソール８は、サーバー装置１０から医用画像を取得し、取得した画像を表示して医師が読影診断するためのコンピューター装置である。
【００３８】
ＦＰＤ９は、制御部、検出部、記憶部、コネクター、バッテリー等を備えて構成される放射線検出器である。
ＦＰＤ９の検出部は、例えば、ガラス基板等を有しており、基板上の所定位置に、放射線源３から照射されて少なくとも被写体を透過した放射線をその強度に応じて検出し、検出した放射線を電気信号に変換して蓄積する複数の検出素子が二次元状に配列されている。検出素子は、フォトダイオード等の半導体イメージセンサーにより構成される。各検出素子は、例えばＴＦＴ（Thin Film Transistor）等のスイッチング部に接続され、スイッチング部により電気信号の蓄積及び読み出しが制御される。
【００３９】
ＦＰＤ９の制御部は、ブッキー装置１又は２を介して撮影用コンソール５から入力された画像読取条件に基づいて検出部のスイッチング部を制御して、各放射線検出素子（以下、検出素子）に蓄積された電気信号の読み取りをスイッチングしていき、検出部に蓄積された電気信号を読み取ることにより、画像データを生成する。そして、制御部は、生成した画像データをコネクター及びブッキー装置１又は２を介して撮影用コンソール５に出力する。
ＦＰＤ９のコネクターは、ブッキー装置１、２側のコネクターと接続し、ブッキー装置１又は２とのデータ送受信を行う。また、ＦＰＤ９のコネクターは、ブッキー装置１又は２のコネクターから供給される電力を各機能部へ供給する。なお、バッテリーを充電する構成としても良い。
【００４０】
サーバー装置１０は、撮影用コンソール５から送信された医用画像の画像データを検査オーダー情報に対応付けて記憶するデータベースを備える。また、サーバー装置１０は、要求に応じてデータベースから医用画像を読み出して診断用コンソール８に送信する。
【００４１】
（撮影動作）
次に、放射線撮影システム１００における検査実施の流れについて説明する。
図５Ａ〜図５Ｃに、放射線撮影システム１００において実行される検査実施処理Ａの流れを示す。検査実施処理Ａにおいて、撮影用コンソール５の表示部５４、音出力部５７、振動発生部５８、ブッキー装置１の表示部１３、ブッキー装置２の表示部２３、放射線源３の表示部３１、操作卓６の曝射スイッチ６２ａは、検査において実施すべき撮影が静止画撮影であるか動画撮影であるかの撮影種別を、文字情報を読み取ることなく、視覚、聴覚及び／又は触覚により直感的に識別可能な態様で報知する報知手段として機能する。
【００４２】
まず、撮影用コンソール５の制御部５１は、記憶部５２に記憶されている検査オーダー情報に基づいて、オーダーされている各検査が動画撮影を含むか否かを判断し、動画撮影を含む検査の検査オーダー情報を動画撮影を含まない検査の検査オーダー情報と異なる色で色分けして表示した検査リスト画面５４１を表示部５４に表示させる（ステップＳ１）。
【００４３】
図６に、検査リスト画面５４１の一例を示す。検査リスト画面５４１には、図６に示すように、検査オーダー情報を一覧表示する検査リスト表示欄５４１ａ、操作部５３により選択されている検査オーダー情報を表示する検査情報表示欄５４１ｂ、検査開始を指示するための検査開始ボタン５４１ｃ等が設けられている。本実施形態においては、図６に示すように、検査リスト表示欄５４１ａに表示されている検査オーダー情報のうち、動画撮影を含む検査の検査オーダー情報の行の背景が動画撮影を含まない検査の検査オーダー情報の行とは異なる背景色で色分けして表示される。或いは、検査オーダー情報の文字そのものの色を色分けしてもよい。これにより、検査開始前に、動画撮影を含む検査を撮影者が文字を読み取ることなく直感的に認識することができる。
なお、以下の説明において、検査オーダー情報や各撮影に関する情報を撮影種別に応じた色で表示する場合には、その情報そのものを（例えば、文字色）を撮影種別に応じた色で表示する場合と、その情報の行の背景色を撮影種別に応じた色で表示する場合の何れの態様であってもよい。
【００４４】
制御部５１は、操作部５３により検査リスト画面５４１から次に実施する検査の検査オーダー情報が選択され、検査開始ボタン５４１ｃが押下されるのを待機する（ステップＳ２；ＮＯ、ステップＳ３；ＮＯ）。
操作部５３により検査リスト画面５４１から検査オーダー情報が選択され（ステップＳ２；ＹＥＳ）、検査開始ボタン５４１ｃが押下されると（ステップＳ３；ＹＥＳ）、制御部５１は、開始された検査の検査オーダー情報に基づいて、開始された検査が動画撮影を含むか否かを判断する（ステップＳ４）。
【００４５】
開始された検査が動画撮影を含むと判断した場合（ステップＳ４；ＹＥＳ）、制御部５１は、動画撮影を含むことを示す所定の音を音出力部５７により出力し（ステップＳ５）、ステップＳ６に移行する。ここで、所定の音とは、例えば、所定のブザー音、「動画撮影があります」等の音声、所定の効果音等である。このように、検査開始のタイミングで、その検査が動画撮影を含む場合に、その旨を音により報知することで、撮影者は、開始された検査が動画撮影を含むことを直感的に認識することができる。
開始された検査が動画撮影を含まないと判断した場合（ステップＳ４；ＮＯ）、制御部５１は、ステップＳ６に移行する。
【００４６】
ステップＳ６において、制御部５１は、検査中の検査に含まれる各撮影に関する情報をその撮影の撮影種別に応じた色で表示するか、又は、各撮影に関する情報に、各撮影種別に応じたアイコンを対応付けて表示した検査画面５４２を表示部５４に表示させる（ステップＳ６）。
図７に、検査画面５４２の一例を示す。図７に示すように、検査画面５４２には、検査中の検査に含まれる各撮影に関する情報（例えば、撮影部位、体位、撮影方向等）がそれぞれに表示された撮影選択ボタン５４２ａが表示されている。撮影選択ボタン５４２ａのそれぞれは、対応する撮影が静止画撮影であるか動画撮影であるかの撮影種別に応じて異なる色（文字色や背景色）や画面デザイン（例えば、アイコン）で表示されている。操作部５３により撮影選択ボタン５４２ａが選択されると、選択された撮影が次に実施する撮影として認識される。このように、検査中の検査に含まれる各撮影が静止画撮影であるか動画撮影であるかによって、各撮影に対応する撮影選択ボタン５４２ａに異なる色やアイコンを表示することで、撮影者は、選択する撮影が静止画撮影であるか動画撮影であるかを文字を読み取ることなく直感的に認識することができる。
【００４７】
次いで、制御部５１は、操作部５３により撮影選択ボタン５４２ａの何れかが押下されるのを待機する（ステップＳ７）。
操作部５３により撮影選択ボタン５４２ａの何れかが押下される（即ち、次に実施する撮影が選択される）と（ステップＳ７；ＹＥＳ）、制御部５１は、放射線源３、及び選択された撮影（次の撮影）の体位情報に応じたブッキー装置１又は２に、選択された撮影に関する情報（患者情報、撮影種別、撮影部位、撮影方向等）及びその表示制御信号を送信する（ステップＳ８）。
【００４８】
放射線源３、ブッキー装置１又は２においては、撮影用コンソール５から次の撮影に関する情報及びその表示制御信号を受信すると、次の撮影に関する情報をその表示部（表示部３１、表示部１３又は２３）に表示するとともに、次の撮影の撮影種別に応じた色及び／又は画面デザインを表示部（表示部３１、表示部１３又は２３）に表示する（ステップＳ９、Ｓ１０）。
【００４９】
また、制御部５１は、放射線源３に、選択された撮影（次の撮影）の体位情報に応じた位置調整信号を送信する（ステップＳ１１）。放射線源３は、位置調整信号に基づいて位置調整を行う（ステップＳ１２）。
【００５０】
また、制御部５１は、選択された撮影（次の撮影）の体位情報に応じたブッキー装置を介してＦＰＤ９に撮影部位や撮影種別に応じた画像読取条件を送信してリセット等の撮影準備を行わせるとともに（ステップＳ１３）、操作卓６に、撮影種別、及び、撮影部位や撮影種別に応じた放射線照射条件を送信する（ステップＳ１４）。
【００５１】
操作卓６において、撮影用コンソール５から放射線照射条件を受信すると、制御部６１は、表示部６３に放射線照射条件を表示するとともに、次の撮影の撮影種別に応じた色及び／又は画面デザインを表示部６３に表示する（ステップＳ１５）。また、制御部６１は、操作部６２からの入力に応じて放射線照射条件を調整し、放射線源３に設定する。
【００５２】
撮影者は、前室Ｒａにおいて撮影用コンソール５の検査画面５４２から次に実施する撮影を選択すると、撮影実施室Ｒｂに移動し、患者のポジショニングや、放射線源３の位置や向きの調整、患者に対する撮影の指導等を行う。このとき、撮影実施室Ｒｂ内のブッキー装置１又は２の表示部１３又は２３や、放射線源３の表示部３１には、次の撮影の撮影種別に応じた色や画面デザインが表示されているので、撮影者は、撮影実施室Ｒｂ内において、次の撮影が静止画撮影であるか動画撮影であるかを文字を読み取ることなく直感的に認識、確認することができる。その結果、撮影種別の確認漏れを防止することができ、患者に対して撮影種別に応じた適格な撮影の指導等を行うことができる。例えば、静止画撮影であれば、「合図に合わせて息を止めてください」、動画撮影であれば「○○秒間撮影します。楽に呼吸していてください」等の指導を行うことができる。撮影準備が整ったら、撮影者は、操作卓６の曝射スイッチ６２ａを押下する。
【００５３】
操作卓６においては、曝射スイッチ６２ａの第１段スイッチの押下を待機し、第１段スイッチが押下されると（ステップＳ１６；ＹＥＳ）、制御部６１は、放射線源３に起動指示信号を送信する（ステップＳ１７）。放射線源３は、例えば、回転陽極を回転させる等の撮影準備を行う（ステップＳ１８）。また、制御部６１は、曝射スイッチ６２ａを次の撮影の撮影種別に応じた色で表示させるとともに、曝射スイッチ６２ａに次の撮影の撮影種別に応じた音や振動を出力させる（ステップＳ１９）。例えば、曝射スイッチ６２ａに対し、第１段スイッチが押下されたことを示す音を次の撮影の撮影種別に応じた周波数の音で出力する。また、次の撮影の撮影種別が動画撮影のときのみ振動を出力させる。
【００５４】
次いで、曝射スイッチ６２ａの第２段スイッチの押下を待機し、曝射スイッチ６２ａの第２段スイッチが押下されると（ステップＳ２０；ＹＥＳ）、制御部６１は、次の撮影の撮影種別が動画撮影であるか否かを判断し、次の撮影が動作撮影であると判断した場合（ステップＳ２１）、その旨を撮影者に報知するための音声を曝射スイッチ６２ａの音出力部に出力させる（ステップＳ２２）。また、曝射スイッチ６２ａは、第２段スイッチの押下から撮影種別に応じた遅延時間Ｔｄだけ待機する（ステップＳ２３）。
【００５５】
遅延時間Ｔｄが経過すると（ステップＳ２３；ＹＥＳ）、制御部６１は、放射線照射指示信号を放射線源３及び撮影用コンソール５に送信する（ステップＳ２４）。撮影用コンソール５は、ブッキー装置を介してＦＰＤ９に読取指示信号を送信する（ステップＳ２５）。放射線源３は、放射線照射を開始し、操作卓６において設定された放射線照射条件に従って放射線を照射する（ステップＳ２６）。ＦＰＤ９は、画像読取条件に従って画像の読み取りを行い（ステップＳ２７）、得られた画像データをブッキー装置を介して撮影用コンソール５に送信する（ステップＳ２８）。
【００５６】
ここで、曝射スイッチ６２ａを押下して放射線照射を開始するタイミングで音、振動、色、放射線照射の遅延時間等により撮影者に撮影種別を報知することで、撮影者が誤った撮影（例えば、患者に誤った指示（例えば、息を止めない動画撮影で「息を止めてください」と指示する等）で撮影を行う等）を防止することができ、患者の無駄な被曝を防止することができる。
【００５７】
撮影が終了すると、撮影用コンソール５の制御部５１は、操作部５３により検査終了が指示されたか否かが判断される。検査終了が指示されていないと判断した場合（ステップＳ２９；ＮＯ）、処理はステップＳ７に戻る。検査終了が指示されたと判断した場合（ステップＳ２９；ＹＥＳ）、制御部５１は、受信した画像データを検査オーダー情報に対応付けてサーバー装置１０に送信し（ステップＳ３０）、検査を終了する。
【００５８】
＜第２の実施形態＞
次に、本発明の第２の実施形態について説明する。
まず、第２の実施形態の構成について説明する。
図８に、第２の実施形態における放射線撮影システム１００Ａの全体構成例を示す。放射線撮影システム１００Ａは、例えば開業医やクリニック等の比較的小規模な施設に構築されるシステムである。例えば、図８に示すように、撮影室Ｒｍの前室Ｒａに操作卓６が備えられ、撮影実施室Ｒｂにブッキー装置１及び２、放射線源３、ＦＰＤ９が備えられ、撮影室Ｒｍの外部の診察室等にコンソール５Ａが備えられる。コンソール５Ａには、第１の実施形態で説明した撮影用コンソールとしての機能、診断用コンソールとしての機能、サーバー装置としての機能が搭載されている。また、放射線撮影システム１００Ａには、第１の実施形態で説明したＨＩＳ／ＲＩＳ７のような、検査オーダー情報を事前に発行する装置は設けられておらず、コンソール５Ａにおいて、実施する検査の各撮影が静止画撮影であるか動画撮影であるかの撮影種別を選択できるようになっている。
【００５９】
ブッキー装置１及び２、放射線源３、操作卓６、ＦＰＤ９の構成は、第１の実施形態で説明したものと同様であるので説明を援用する。コンソール５Ａの機能構成は、図３に示したものと同様であるが、記憶部５２に記憶されているプログラムやデータが撮影用コンソール５と異なる。具体的に、コンソール５Ａの記憶部５２には、撮影用コンソールとしての機能、診断用コンソールとしての機能、サーバー装置としての機能を実行するためのプログラムが記憶されており、制御部５１と記憶部５２に記憶されているプログラムとの協働により、各機能を実現する。撮影用コンソールとしての機能を実行するためのプログラムには、図９Ａ〜図９Ｃに示すコンソール５Ａ側の動作を実行するためのプログラムが含まれる。
また、コンソール５Ａの記憶部５２は、患者情報を格納する患者ＤＢ（Data Base）及び撮影により取得された画像データを格納する画像ＤＢ等を有している。その他のコンソール５Ａの構成は、第１の実施形態で説明したものと同様であるので説明を援用する。
【００６０】
次に、第２の実施形態の動作について説明する。
図９Ａ〜図９Ｃに、第２の実施形態において放射線撮影システム１００Ａで実行される検査実行処理Ｂの流れを示す。
【００６１】
まず、コンソール５Ａの制御部５１は、記憶部５２の患者ＤＢに記憶されている患者情報を読み出して、表示部５４に患者リスト画面（図示せず）を表示させる（ステップＳ３１）。
患者リスト画面は、患者情報が一覧表示された画面である。患者リスト画面には、撮影種別ボタンが設けられており、患者リスト画面上から操作部５３により患者の患者情報を選択して撮影種別ボタンを押下すると、選択された患者に対して実施する検査の撮影種別のパターンを選択入力するための撮影種別選択画面５４３（図１０参照）を表示することができる。
【００６２】
制御部５１は、操作部５３により患者リスト画面から患者情報が選択され、撮影種別ボタンが押下されるのを待機する（ステップＳ３２；ＮＯ、ステップＳ３３；ＮＯ）。
操作部５３により患者リスト画面から患者情報が選択され（ステップＳ３２；ＹＥＳ）、撮影種別ボタンが押下されると（ステップＳ３３；ＹＥＳ）、制御部５１は、撮影種別選択画面５４３を表示部５４に表示させる（ステップＳ３４）。
【００６３】
図１０に、撮影種別選択画面５４３の一例を示す。図１０に示すように、撮影種別選択画面５４３には、検査における撮影種別（静止画撮影、動画撮影）の順序パターンを選択するためのパターン選択ボタン５４３ａと、デフォルトボタン５４３ｂと、キャンセルボタン５４３ｃと、検査開始ボタン５４３ｄが設けられている。デフォルトボタン５４３ｂには、施設で最も頻度の高い順序パターン（例えば、静止画撮影のみ）が対応付けられており、撮影種別選択画面５４３を開いた時点では、デフォルトボタンが選択された状態となっている。デフォルトのパターンの場合には、検査開始ボタン５４３ｄを押下すれば、自動的にデフォルトのパターンが設定される。パターン選択ボタン５４３ａのそれぞれには、パターン１〜３（例えば、パターン１：静止画撮影→動画撮影、パターン２：動画撮影のみ、パターン３：動画撮影→静止画撮影）が対応付けられており、押下されたパターン選択ボタン５４３ａに対応付けられた撮影種別のパターンが設定される。なお、パターン１〜３は、操作部５３の操作によりユーザーが施設の運用に応じてカスタマイズ可能である。
【００６４】
操作部５３によりパターン選択ボタン５４３ａの何れかが押下されると（ステップＳ３５；ＹＥＳ）、制御部５１は、検査開始ボタン５４３ｄの押下を待機する（ステップＳ３６）。操作部５３により検査開始ボタン５４３ｄが押下されると（ステップＳ３６；ＹＥＳ）、制御部５１は、押下されたパターン選択ボタン５４３ａに対応するパターンを、実施する検査の撮影種別のパターンとして設定し（ステップＳ３７）、ステップＳ４０に移行する。
【００６５】
一方、操作部５３によりパターン選択ボタン５４３ａの何れかが押下されず（ステップＳ３５；ＮＯ）、検査開始ボタン５４３ｄが押下されると（ステップＳ３８；ＹＥＳ）、制御部５１は、デフォルトのパターンを、実施する検査の撮影種別のパターンとして設定し（ステップＳ３９）、ステップＳ４０に移行する。
【００６６】
ステップＳ４０において、制御部５１は、検査中の検査に含まれる各撮影に関する情報（ここでは、例えば、各撮影の撮影種別を示す情報）をその撮影種別に応じた色で表示するか、又は、撮影種別に応じたアイコンを対応付けて表示した検査画面５４２を表示部５４に表示させる（ステップＳ４０）。検査画面５４２は、図７に示したものと略同様である。ただし、撮影毎に、どのブッキー装置を使用するかを選択できるようになっている。
【００６７】
ステップＳ４１〜６２の処理については、第１の実施形態で説明したものと同様であるので説明を省略する。上述のステップＳ４０及びステップＳ４１〜Ｓ６２において、コンソール５Ａの表示部５４、音出力部５７、振動発生部５８、ブッキー装置１の表示部１３、ブッキー装置２の表示部２３、放射線源３の表示部３１、操作卓６の曝射スイッチ６２ａは、検査において実施すべき撮影が静止画撮影であるか動画撮影であるかの撮影種別を、文字情報を読み取ることなく、視覚、聴覚及び／又は触覚により直感的に識別可能な態様で報知する報知手段として機能する。
【００６８】
ステップＳ６３において、操作部５３により検査終了が指示されると（ステップＳ６３；ＹＥＳ）、制御部５１は、受信した画像データを患者情報に対応付けて記憶部５２の画像ＤＢに記憶し（ステップＳ６４）、検査実施処理Ｂを終了する。
【００６９】
第２の実施形態では、検査で実施される撮影の撮影種別の順序パターンを選択するための選択手段として、コンソール５Ａの表示部５４に撮影種別選択画面５４３が表示され、当該画面からの選択操作に応じて検査で実施される撮影の撮影種別の順序を設定することができるので、検査オーダー情報が発行されないシステムにおいても、コンソール５Ａや撮影室内の表示部１３、２３、３１、曝射スイッチ６２ａ等により、撮影種別に応じた色や画面デザインの表示、音や振動の出力等を行うことができ、撮影者が次の撮影の撮影種別を直感的に認識することが可能となる。
【００７０】
以上説明したように、放射線撮影システム１００（１００Ａ）によれば、実施すべき撮影が静止画撮影であるか動画撮影であるかの撮影種別を視覚、聴覚、触覚のうち少なくとも一つにより直感的に識別可能な態様で報知する。具体的には、色、画面デザイン、音、振動のうち少なくとも一つにより、実施すべき撮影が静止画撮影であるか動画撮影であるかの撮影種別を直感的に識別可能な態様で報知する。
【００７１】
従って、撮影者は、いちいち文字を読み取って確認することなく、実施すべき撮影が静止画撮影であるか動画撮影であるかの撮影種別を直感的に認識することが可能となるので、誤撮影を防止することができる。
【００７２】
なお、上記実施形態は本発明の好適な一例であり、これに限定されない。
例えば、上記実施形態においては、撮影用コンソール５（コンソール５Ａ）、表示部１３、２３、３１、曝射スイッチ６２ａ等における色、画面デザイン、音、振動等により、撮影者が次の撮影の撮影種別を直感的に認識するための様々な報知を行う場合を例にとり説明したが、その全てを適用する必要は必ずしもなく、いずれの報知を行うかはユーザーがカスタマイズ可能である。
【００７３】
また、上記の説明では、本発明に係るプログラムのコンピューター読み取り可能な媒体としてＨＤＤや半導体の不揮発性メモリー等を使用した例を開示したが、この例に限定されない。その他のコンピューター読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００７４】
その他、放射線撮影システムを構成する各装置の細部構成及び細部動作に関しても、発明の趣旨を逸脱することのない範囲で適宜変更可能である。
【符号の説明】
【００７５】
１００  放射線撮影システム
１  ブッキー装置
１３  表示部
２  ブッキー装置
２３  表示部
３  放射線源
３１  表示部
５  撮影用コンソール
５１  制御部
５２  記憶部
５３  操作部
５４  表示部
５５  通信Ｉ／Ｆ
５６  ネットワーク通信部
５７  音出力部
５８  振動発生部
５９  バス
６  操作卓
６１  制御部
６２  操作部
６２ａ  曝射スイッチ
６３  表示部
７  ＨＩＳ／ＲＩＳ
８  診断用コンソール
９  ＦＰＤ
１０  サーバー装置
１００Ａ  放射線撮影システム
５Ａ  コンソール
【図１】
2019147036.tif 000003
【図２】
2019147036.tif 000004
【図３】
2019147036.tif 000005
【図４】
2019147036.tif 000006
【図５Ａ】
2019147036.tif 000007
【図５Ｂ】
2019147036.tif 000008
【図５Ｃ】
2019147036.tif 000009
【図６】
2019147036.tif 000010
【図７】
2019147036.tif 000011
【図８】
2019147036.tif 000012
【図９Ａ】
2019147036.tif 000013
【図９Ｂ】
2019147036.tif 000014
【図９Ｃ】
2019147036.tif 000015
【図１０】
2019147036.tif 000016
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
照射された放射線を検出して画像データを生成する放射線検出器と、前記放射線検出器と通信可能なコンソールと、を備える放射線撮影システムであって、
検査に含まれる複数の撮影から１つの撮影を選択するための撮影選択ボタンを有し、
色、画面デザインのうち少なくとも一つにより、前記撮影選択ボタンに対応する撮影が静止画撮影であるか動画撮影であるかを報知する報知手段を備える放射線撮影システム。
【請求項２】
前記コンソールは表示部を有し、
前記撮影選択ボタンは前記表示部に表示される請求項１に記載の放射線撮影システム。
【請求項３】
前記報知手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する請求項１又は２に記載の放射線撮影システム。
【請求項４】
前記報知手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する請求項１又は２に記載の放射線撮影システム。
【請求項５】
前記画面デザインはアイコンであることを特徴とする請求項１〜４のいずれか一項に記載の放射線撮影システム。
【請求項６】
照射された放射線を検出して画像データを生成する放射線検出器と通信可能なコンソールであって、
検査に含まれる複数の撮影から１つの撮影を選択するための撮影選択ボタンを表示する表示部を有し、
色、画面デザインのうち少なくとも一つにより、前記撮影選択ボタンに対応する撮影が静止画撮影であるか動画撮影であるかを報知する報知手段を備えるコンソール。
【請求項７】
前記報知手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する請求項６に記載のコンソール。
【請求項８】
前記報知手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する請求項６に記載のコンソール。
【請求項９】
前記画面デザインはアイコンであることを特徴とする請求項６〜８のいずれか一項に記載のコンソール。
【請求項１０】
コンピューターを、照射された放射線を検出して画像データを生成する放射線検出器と通信可能なコンソールとして機能させるプログラムであって、
前記コンピューターを、
検査に含まれる複数の撮影から１つの撮影を選択するための撮影選択ボタンを表示部に表示する表示制御手段、
色、画面デザインのうち少なくとも一つにより、前記撮影選択ボタンに対応する撮影が静止画撮影であるか動画撮影であるかを報知するよう制御する報知制御手段、
として機能させるためのプログラム。
【請求項１１】
前記報知制御手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する請求項１０に記載のプログラム。
【請求項１２】
前記報知制御手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する請求項１０に記載のプログラム。
【請求項１３】
前記画面デザインはアイコンであることを特徴とする請求項１０〜１２のいずれか一項に記載のプログラム。
【手続補正３】
【補正対象書類名】明細書
【補正対象項目名】０００１
【補正方法】変更
【補正の内容】
【０００１】
本発明は、放射線撮影システム、コンソール及びプログラムに関する。
【手続補正４】
【補正対象書類名】明細書
【補正対象項目名】０００６
【補正方法】変更
【補正の内容】
【０００６】
上記課題を解決するため、請求項１に記載の発明は、
照射された放射線を検出して画像データを生成する放射線検出器と、前記放射線検出器と通信可能なコンソールと、を備える放射線撮影システムであって、
検査に含まれる複数の撮影から１つの撮影を選択するための撮影選択ボタンを有し、
色、画面デザインのうち少なくとも一つにより、前記撮影選択ボタンに対応する撮影が静止画撮影であるか動画撮影であるかを報知する報知手段を備える。
【手続補正５】
【補正対象書類名】明細書
【補正対象項目名】０００７
【補正方法】変更
【補正の内容】
【０００７】
請求項２に記載の発明は、請求項１に記載の発明において、
前記コンソールは表示部を有し、
前記撮影選択ボタンは前記表示部に表示される。
【手続補正６】
【補正対象書類名】明細書
【補正対象項目名】０００８
【補正方法】変更
【補正の内容】
【０００８】
請求項３に記載の発明は、請求項１又は２に記載の発明において、
前記報知手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する。
【手続補正７】
【補正対象書類名】明細書
【補正対象項目名】０００９
【補正方法】変更
【補正の内容】
【０００９】
請求項４に記載の発明は、請求項１又は２に記載の発明において、
前記報知手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する。
【手続補正８】
【補正対象書類名】明細書
【補正対象項目名】００１０
【補正方法】変更
【補正の内容】
【００１０】
請求項５に記載の発明は、請求項１〜４のいずれか一項に記載の発明において、
前記画面デザインはアイコンであることを特徴とする。
【手続補正９】
【補正対象書類名】明細書
【補正対象項目名】００１１
【補正方法】変更
【補正の内容】
【００１１】
請求項６に記載の発明は、
照射された放射線を検出して画像データを生成する放射線検出器と通信可能なコンソールであって、
検査に含まれる複数の撮影から１つの撮影を選択するための撮影選択ボタンを表示する表示部を有し、
色、画面デザインのうち少なくとも一つにより、前記撮影選択ボタンに対応する撮影が静止画撮影であるか動画撮影であるかを報知する報知手段を備える。
【手続補正１０】
【補正対象書類名】明細書
【補正対象項目名】００１２
【補正方法】変更
【補正の内容】
【００１２】
請求項７に記載の発明は、請求項６に記載の発明において、
前記報知手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する。
【手続補正１１】
【補正対象書類名】明細書
【補正対象項目名】００１３
【補正方法】変更
【補正の内容】
【００１３】
請求項８に記載の発明は、請求項６に記載の発明において、
前記報知手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する。
請求項９に記載の発明は、請求項６〜８のいずれか一項に記載の発明において、
前記画面デザインはアイコンであることを特徴とする。
【手続補正１２】
【補正対象書類名】明細書
【補正対象項目名】００１４
【補正方法】変更
【補正の内容】
【００１４】
請求項１０に記載の発明は、
コンピューターを、照射された放射線を検出して画像データを生成する放射線検出器と通信可能なコンソールとして機能させるプログラムであって、
前記コンピューターを、
検査に含まれる複数の撮影から１つの撮影を選択するための撮影選択ボタンを表示部に表示する表示制御手段、
色、画面デザインのうち少なくとも一つにより、前記撮影選択ボタンに対応する撮影が静止画撮影であるか動画撮影であるかを報知するよう制御する報知制御手段、
として機能させる。
請求項１１に記載の発明は、請求項１０に記載の発明において、
前記報知制御手段は、検査中にその検査で実施すべき各撮影に関する情報を表示する検査画面に表示される各撮影に関する情報を、各撮影が静止画撮影であるか動画撮影であるかに応じた色、及び、各撮影が静止画撮影であるか動画撮影であるかに応じた画面デザインのうち少なくとも一方で表示する。
請求項１２に記載の発明は、請求項１０に記載の発明において、
前記報知制御手段は、前記撮影選択ボタンを、各撮影が静止画撮影であるか動画撮影であるかに応じた色、及び、各撮影が静止画撮影であるか動画撮影であるかに応じた画面デザインのうち少なくとも一方で表示する。
請求項１３に記載の発明は、請求項１０〜１２のいずれか一項に記載の発明において、
前記画面デザインはアイコンであることを特徴とする。